(57)【要約】【課題】非接触ICチップ内の情報を隠蔽することができるようにする。【解決手段】携帯電話機１のユーザは、表示部４に表示される設定画面に基づいて、入力部３を操作し、非接触ICチップ２に記憶されている情報（サービス）にプライバシ属性フラグを設定することができる。プライバシ属性フラグには、サービスの閲覧可能または閲覧不可を設定するための「閲覧許可フラグ」、および、指定された外部I/Fからのアクセス制限を設定するための「外部I/F指定フラグ」が含まれている。このプライバシ属性フラグを設定することにより、第３者がアクセスしても非接触ICチップ２内にサービスが存在しない状態とされる。本発明は、非接触ICチップ、または、非接触ICチップを内蔵する携帯電話機に適用することができる。【選択図】図２
2010244581.tif 000002
【特許請求の範囲】
【請求項１】
非接触ＩＣチップに記憶されて管理されるファイルのそれぞれに、ファイルに関する情報である定義情報の閲覧可能または閲覧不可を表すフラグを設定する設定ステップと、
前記定義情報の提供が外部から要求された場合、管理するファイルの中に、前記定義情報の閲覧不可を表すフラグが設定されているファイルがあるときには、そのファイルを管理していないものとして応答する応答ステップと
を含むことを特徴とする情報処理方法。
【請求項２】
前記設定ステップでは、前記定義情報の提供の要求元を指定するフラグをさらに設定し、
前記応答ステップでは、前記定義情報の提供の要求元が、前記設定ステップの処理により設定されているフラグにより指定されている要求元である場合、ファイルを管理していないものとして応答する
請求項１に記載の情報処理方法。
【請求項３】
非接触ＩＣチップに記憶されて管理されるファイルのそれぞれに、ファイルに関する情報である定義情報の閲覧可能または閲覧不可を表すフラグを設定する設定ステップと、
前記定義情報の提供が外部から要求された場合、管理するファイルの中に、前記定義情報の閲覧不可を表すフラグが設定されているファイルがあるときには、そのファイルを管理していないものとして応答する応答ステップと
を含む処理をコンピュータに実行させることを特徴とするプログラム。
【請求項４】
非接触通信機能を有する情報処理装置において管理されるファイルのそれぞれに、ファイルに関する情報である定義情報の閲覧可能または閲覧不可を表すフラグを設定する設定ステップと、
前記定義情報の提供が外部から要求された場合、管理するファイルの中に、前記定義情報の閲覧不可を表すフラグが設定されているファイルがあるときには、そのファイルを管理していないものとして応答する応答ステップと
を含むことを特徴とする情報処理方法。
【請求項５】
前記設定ステップでは、前記定義情報の提供の要求元を指定するフラグをさらに設定し、
前記応答ステップでは、前記定義情報の提供の要求元が、前記設定ステップの処理により設定されているフラグにより指定されている要求元である場合、ファイルを管理していないものとして応答する
請求項４に記載の情報処理方法。
【請求項６】
非接触通信機能を有する情報処理装置において管理されるファイルのそれぞれに、ファイルに関する情報である定義情報の閲覧可能または閲覧不可を表すフラグを設定する設定ステップと、
前記定義情報の提供が外部から要求された場合、管理するファイルの中に、前記定義情報の閲覧不可を表すフラグが設定されているファイルがあるときには、そのファイルを管理していないものとして応答する応答ステップと
を含む処理をコンピュータに実行させることを特徴とするプログラム。
【発明の詳細な説明】
【技術分野】
【０００１】
本発明は、情報処理方法およびプログラムに関し、特に、非接触ICチップ内の情報を隠蔽することができるようにした情報処理方法およびプログラムに関する。
【背景技術】
【０００２】
近年、携帯電話機にも搭載されはじめたことなどをきっかけとして、FeliCa（登録商標）などの非接触ICチップがより身近なものとなりつつある。ユーザは、非接触ICチップが搭載された携帯電話機を使って商品購入時の代金を支払ったり、駅の改札機に設けられているリーダライタに携帯電話機をかざすことによって定期券の情報を確認させたりすることができる。
【０００３】
図１は、非接触ICチップ内のデータの論理フォーマットの例を示す図である。
【０００４】
図１の例では、「エリア0000」を親の層として、「エリア0001」、「サービス0008」、および「サービス1008」が登録されている。
【０００５】
ここで、エリアとは、後述するサービスを管理する領域をいう。例えば、Windows（登録商標）でいうフォルダと同様のものである。このエリアは、リーダライタから送信されてきたコマンドに基づいて、１つまたは２以上生成され、そのそれぞれにより、サービスが階層的に管理される。あるエリアを親の階層として管理されるサービスにアクセスを行うためには、必要に応じて、そのアクセス側の機器（例えば、リーダライタ）に、エリアの生成時に割り当てられている鍵と同じ鍵が用意されている必要がある。
【０００６】
また、サービスとは、電子マネーのデータそのものなどの、データの実体を管理する領域をいう。例えば、Windows（登録商標）でいうファイルと同様のものである。このサービスも、リーダライタから送信されてきたコマンドに基づいて、１つまたは２以上、適宜、エリアを親の階層として生成される。あるサービスが管理するデータにアクセスを行うためには、必要に応じて、そのアクセス側の機器（例えば、リーダライタ）に、サービスの生成時に割り当てられている鍵と同じ鍵が用意されている必要がある。
【０００７】
また、図１の例においては、「サービス0008」と「サービス1008」にはそれぞれ定義情報が付加されている。
【０００８】
定義情報には、後述するように、ノードコード情報（サービスナンバ）、鍵バージョン、およびAllocateBlock情報（ファイルシステムに割り当てられた定義情報のブロック数）などのサービスに関する情報が含まれている。
【０００９】
このような論理フォーマットによりデータを管理する非接触ICチップに対して、図１に示されるように、外部の無線I/F（インタフェース）から、Request Serviceコマンドを非接触ICチップに実行させることにより、「エリア0000」、「エリア0001」、「サービス0008」、および「サービス1008」のファイル情報（上述した、サービスナンバ、鍵バージョンなどの定義情報。定義情報へのアクセスには鍵は要求されない。）を取得することができるようになされている。同様に、内部の有線I/FもRequest Serviceコマンドを実行させることにより、「エリア0000」、「エリア0001」、「サービス0008」、および「サービス1008」のファイル情報を取得することができるようになされている。
【００１０】
ここで、非接触ICチップのインタフェースとは、非接触ICチップにおいて実行されるコマンドの送信元と、非接触ICチップの構成のうちのコマンドを実行する構成（コマンド実行部）の間の経路のことであり、図１に示されるように、無線I/Fと有線I/Fとがある。
【００１１】
コマンドがリーダライタから送信されてくるものである場合、そのリーダライタと、コマンド実行部の間の経路、すなわち、電磁波、電磁波を受信する非接触ICチップの構成、受信した電磁波からデータを復調し、取得したコマンドをコマンド実行部に出力する物理的、論理的な構成が無線I/F（外部I/F）に該当する。
【００１２】
また、携帯端末に内蔵されている非接触ICチップにおいては、リーダライタにより生成され、送信されてきたコマンドだけでなく、その携帯端末において起動されているアプリケーション（Java（登録商標）などで書かれたプログラム）により生成されたコマンドも実行される。この場合、アプリケーション（アプリケーションを実行しているCPU）と、非接触ICチップのコマンド実行部の間にある物理的、論理的な構成が有線I/F（内部I/F）に該当する。
【００１３】
このように、非接触ICチップに登録された情報のうちの定義情報などは、第３者が容易に取得することが可能な情報である。
【００１４】
ところで、特許文献１には、個人IDなどが登録された非接触型ICカードにより、ユーザの入退出を管理する方法が開示されている。
【先行技術文献】
【特許文献】
【００１５】
【特許文献１】特開２００３−６５７８号公報
【発明の概要】
【発明が解決しようとする課題】
【００１６】
図１に示したように、Request Serviceコマンドが非接触ICチップにおいて実行されると、登録されている定義情報が無条件に外部のリーダライタなどに対して応答されており、このことは、非接触ICチップを使用するユーザにとって、第３者に対してファイルシステムに登録されている全ての情報を漏洩および公開したくない場合に問題である。
【００１７】
すなわち、上述したノードコードなどの情報は、ユーザがどのようなサービス（例えば、電子マネーサービス、電車の管理サービスなど）でこの非接触ICチップを用いているのかを表す情報でもあり、これを第３者が自由に取得することができることは、プライバシ保護の観点から問題がある。
【００１８】
本発明はこのような状況に鑑みてなされたものであり、非接触ICチップ内の情報を隠蔽することができるようにするものである。
【課題を解決するための手段】
【００１９】
本発明の第１の側面の情報処理方法は、非接触ＩＣチップに記憶されて管理されるファイルのそれぞれに、ファイルに関する情報である定義情報の閲覧可能または閲覧不可を表すフラグを設定する設定ステップと、前記定義情報の提供が外部から要求された場合、管理するファイルの中に、前記定義情報の閲覧不可を表すフラグが設定されているファイルがあるときには、そのファイルを管理していないものとして応答する応答ステップとを含むことを特徴とする情報処理方法である。
【００２０】
本発明の第１の側面のプログラムは、本発明の第１の側面の情報処理方法に対応する。
【００２１】
本発明の第１の側面においては、非接触ＩＣチップに記憶されて管理されるファイルのそれぞれに、ファイルに関する情報である定義情報の閲覧可能または閲覧不可を表すフラグが設定され、前記定義情報の提供が外部から要求された場合、管理するファイルの中に、前記定義情報の閲覧不可を表すフラグが設定されているファイルがあるときには、そのファイルが管理されていないものとして応答される。
【００２２】
本発明の第２の側面の情報処理方法は、非接触通信機能を有する情報処理装置において管理されるファイルのそれぞれに、ファイルに関する情報である定義情報の閲覧可能または閲覧不可を表すフラグを設定する設定ステップと、前記定義情報の提供が外部から要求された場合、管理するファイルの中に、前記定義情報の閲覧不可を表すフラグが設定されているファイルがあるときには、そのファイルを管理していないものとして応答する応答ステップとを含むことを特徴とする情報処理方法である。
【００２３】
本発明の第２の側面のプログラムは、本発明の第２の側面の情報処理方法に対応する。
【００２４】
本発明の第２の側面においては、非接触通信機能を有する情報処理装置において管理されるファイルのそれぞれに、ファイルに関する情報である定義情報の閲覧可能または閲覧不可を表すフラグが設定され、前記定義情報の提供が外部から要求された場合、管理するファイルの中に、前記定義情報の閲覧不可を表すフラグが設定されているファイルがあるときには、そのファイルが管理されていないものとして応答される。
【発明の効果】
【００２５】
本発明によれば、非接触ICチップ内の情報を隠蔽することができる。
【図面の簡単な説明】
【００２６】
【図１】非接触ICチップ内のデータの論理フォーマットの例を示す図である。
【図２】本発明の一実施形態に係る携帯電話機におけるプライバシ機能（情報隠蔽機能）の概念について説明する図である。
【図３】本発明の一実施形態に係る携帯電話機におけるプライバシ機能（情報隠蔽機能）の概念について説明する図である。
【図４】非接触ICチップの情報隠蔽の例を示す図である。
【図５】定義情報およびプライバシ属性フラグの例を示す図である。
【図６】携帯電話機の構成例を示すブロック図である。
【図７】非接触ICチップの機能構成例を示すブロック図である。
【図８】フラグ設定処理を説明するフローチャートである。
【図９】応答処理を説明するフローチャートである。
【発明を実施するための形態】
【００２７】
以下、本発明の実施の形態について図を参照して説明する。
【００２８】
図２および図３は、本発明の一実施形態に係る携帯電話機１におけるプライバシ機能（情報隠蔽機能）の概念について説明する図である。
【００２９】
図２に示されるように、携帯電話機１は非接触ICチップ２を内蔵し、この非接触ICチップ２は、携帯電話機１（CPUにより実行されるアプリケーション）から供給されてきたコマンドを実行することによって、不揮発性メモリに記憶している所定のエリア、サービスの情報をアプリケーションに提供する。また、非接触ICチップ２は、携帯電話機１が図示せぬ外部のリーダライタがかざされたことを検知し、リーダライタから輻射される電磁波に応じて、そこに記憶している各種の情報を読み出して送信する。
【００３０】
携帯電話機１のユーザは、プライバシ機能を実現するアプリケーションを実行させたときに表示部４に表示される設定画面から、入力部３を操作し、非接触ICチップ２に記憶されている情報にプライバシ属性フラグを設定することができる。
【００３１】
このプライバシ属性フラグは、それが設定されているエリア、サービスの情報へのアクセスの許可／不許可を表す情報であり、例えば、図３に示すように、第３者が非接触ICチップにアクセスしてサービスの有無を問い合わせた場合、プライバシ属性フラグが設定されていないとき（アクセスを許可する状態のとき）には、銀行の口座番号を管理するサービスの情報（サービスナンバ、鍵バージョンなど）の読み出しが可能とされる。
【００３２】
ここで、ユーザが、図３の実線矢印の先に示すように、このサービスにプライバシ属性フラグを設定したとき（アクセスを許可しない状態のとき）には、そのフラグが設定される銀行の口座番号を管理するサービスへのアクセスが制限され、アクセスしてきた第３者からは、そのサービスが非接触ICチップ２内に存在しないものとして認識される。
【００３３】
このようなプライバシ属性フラグを「ＸＸＸサービス」に設定したとき、例えば、図２に示されるように、携帯電話機１の表示部４には「ＸＸＸサービス  サービスを見えない状態に設定します」のメッセージが表示される。
【００３４】
これにより、携帯電話機１のユーザは、他人に見られたくないようなサービスにプライバシ属性フラグを設定しておくことにより、そのサービスの情報を第３者から見られないようにすること、すなわち、情報を隠蔽することができる。
【００３５】
図４は、非接触ICチップ２の情報隠蔽の例を示す図である。
【００３６】
図４の例では、非接触ICチップ論理フォーマットとして、エリア２１乃至２３が登録され、エリア２３にはサービス２４および２５が登録されている。また、図４の例では、外部I/F３１乃至３３が示されており、携帯電話機１のユーザは、このようなエリア、サービス毎にアクセスの許可／不許可を設定することができるだけでなく、外部I/F毎に、アクセスの許可／不許可を設定することもできるようになされている。
【００３７】
図５は、エリア、サービスのそれぞれに付加される定義情報およびプライバシ属性フラグの例を示す図である。
【００３８】
定義情報には、サービスの識別情報である「ノードコード情報」（サービスコード）、この定義情報が付加されるエリア、サービスに設定されている鍵のバージョンを表す「鍵バージョン」、および、定義情報に割り当てられたブロック数（所定単位からなるメモリ領域の数）を表す「AllocateBlock情報」などのエリア、サービスに関する情報が含まれている。
【００３９】
プライバシ属性フラグには、サービスの閲覧可能または閲覧不可（アクセスの許可／不許可）を表す「閲覧許可フラグ」、および、アクセスを制限する外部I/Fを指定する「外部I/F指定フラグ」（外部I/F番号）が含まれている。
【００４０】
図４の説明に戻る。例えば、ユーザが、外部I/F３１から、エリア２１を隠蔽するプライバシ属性フラグを設定した場合（すなわち、エリア２１に付加されるプライバシ属性フラグにおいて、閲覧許可フラグを閲覧不可に設定し、外部I/F指定フラグを外部I/F３１の番号に設定した場合）、外部I/F３２，３３からはエリア２１にアクセスすることが可能であるが、外部I/F３１からはアクセスすることができない。
【００４１】
プライバシ属性フラグがこのような情報から構成されるようにすることにより、ユーザは、外部I/F毎に、エリア、サービスへのアクセスを制限することができる。以上のようなプライバシ属性フラグの設定に応じて行われる非接触ICチップ２の処理についてはフローチャートを参照して後述する。
【００４２】
図６は、携帯電話機１の構成例を示すブロック図である。
【００４３】
CPU（Central Processing Unit）４１、ROM（Read Only Memory）４２、およびRAM（Random Access Memory）４３は、バス４４を介して相互に接続されている。このバス４４にはまた、入出力インタフェース４５も接続されており、非接触ICチップ２、入力部３、表示部４、記憶部４６、インターネットなどのネットワークを介しての通信処理を行う通信部４７が接続されている。
【００４４】
CPU４１は、ROM４２に記憶されているプログラム、または、記憶部４６からRAM４３にロードされたプログラムに従って各種の処理を実行する。ROM４２には、CPU４１が使用する各種プログラムや演算用のパラメータのうちの基本的に固定のデータが格納される。RAM４３には、CPU４１が各種の処理を実行する上において必要なデータなどが適宜記憶される。
【００４５】
入力部３は、ボタン、スイッチ、あるいはジョグダイヤルなどで構成され、ユーザによる操作に対応した各種指示をCPU４１に入力する。表示部４は、LCD（Liquid Crystal Display）などのディスプレイで構成され、各種情報をテキストやイメージで表示する。記憶部４６は、不揮発性メモリなどで構成され、CPU４１が実行する各種プログラムやデータなどを記録する。
【００４６】
非接触ICチップ２は、CPUなどの制御部、アンテナ、およびメモリで構成されており、アンテナの負荷の変化に応じて、メモリのデータを読み出したり、あるいは、メモリにデータを書き込む。
【００４７】
図７は、非接触ICチップ２の機能構成例を示すブロック図である。図７に示す機能部のうちの少なくとも一部は、非接触ICチップに設けられるCPUにより所定のプログラムが実行されることによって実現される。
【００４８】
検索部５１は、外部I/Fなどを介して供給されてきたRequest Serviceコマンドを実行し、非接触ICチップ２内に登録されているエリア、サービス（図４の例の場合、エリア２１乃至２３、サービス２４および２５）を検索する。検索部５１は、検索結果をフラグ管理部５２に供給する。
【００４９】
フラグ管理部５２は、例えば、プライバシ機能を実現するアプリケーション（携帯電話機１のCPU４１により実行されるアプリケーション）からの指示に従って、プライバシ属性フラグの閲覧許可フラグおよび外部I/F指定フラグを設定し、それを管理する。ユーザによりそれらのフラグが設定されたとき、ユーザの設定内容を表す情報が、CPU４１により実行されるアプリケーションから供給されてくる。
【００５０】
また、フラグ管理部５２は、検索部５１から検索結果として供給されてきたエリア、サービスのプライバシ属性フラグを判定する。フラグ管理部５２は、判定結果を応答部５３に供給する。
【００５１】
応答部５３は、Request Serviceコマンドの送信元に対して、Request Responseコマンドにより、フラグ管理部５２から供給される判定結果に応じた応答を行う。応答部５３からそのRequest Serviceコマンドの送信元に対しては、エリア、サービスが存在すること／存在しないことなどが通知される。
【００５２】
次に、図８のフローチャートを参照して、非接触ICチップ２が実行するフラグ設定処理について説明する。
【００５３】
ステップＳ１において、フラグ管理部５２は、プライバシ機能を実現するアプリケーションからの指示に従って、プライバシ属性フラグの閲覧許可フラグおよび外部I/F指定フラグを設定する。例えば、プライバシ機能を実現するアプリケーションからの指示には、プライバシ属性フラグの閲覧許可フラグを閲覧可能または閲覧不可に設定することを指示する情報、および、外部I/F指定フラグに外部I/F番号を設定することを指示する情報が含まれている。
【００５４】
次に、図９のフローチャートを参照して、非接触ICチップ２が実行する応答処理について説明する。この処理は、例えば、外部のリーダライタなどから、所定のファイル（エリア、サービス）の検索を指示するRequest Serviceコマンドが送信されてきたときに実行される。
【００５５】
ステップＳ１１において、検索部５１は、外部I/Fを介して送信されてきたRequest Serviceコマンドを実行し、非接触ICチップ２内に登録されているファイルを検索する。検索結果はフラグ管理部５２に出力される。
【００５６】
ステップＳ１２において、フラグ管理部５２は、検索部５１による検索結果に基づいて、非接触ICチップ２内にファイルが存在するか否かを判定し、ファイルが存在すると判定した場合、ステップＳ１３に進む。
【００５７】
ステップＳ１３において、フラグ管理部５２は、検索されたファイルのプライバシ属性フラグを判定する。例えば、検索されたファイルに付加されているプライバシ属性フラグの閲覧許可フラグが、閲覧可能または閲覧不可のいずれに設定されているか、および、外部I/F指定フラグに、外部I/F番号が設定されているかが判定される。
【００５８】
ステップＳ１４において、フラグ管理部５２は、ステップＳ１３の処理による判定結果に基づいて、検索されたファイルが閲覧可能であるか否か、すなわち、プライバシ属性フラグの閲覧許可フラグが閲覧可能に設定されているか否かを判定し、閲覧可能に設定されていると判定した場合、ステップＳ１５に進む。
【００５９】
ステップＳ１５において、フラグ管理部５２は、さらに、検索されたファイルに対して、外部I/F（いまのアクセスを行っている外部I/F）からのアクセスが可能であるか否か、すなわち、プライバシ属性フラグの外部I/F指定フラグに、いまのアクセスを行っている外部I/Fの番号が設定されていないか否かを判定する。
【００６０】
フラグ管理部５２は、ステップＳ１５において、検索されたファイルに対して、外部I/Fからのアクセスが可能であると判定した場合、ステップＳ１６に進む。
【００６１】
ステップＳ１６において、応答部５３は、外部I/Fに対し、ファイルが存在することを示すRequest Responseコマンドで応答する。例えば、図４のエリア２１に付加されているプライバシ属性フラグが閲覧可能、かつ、外部I/Fアクセス可能に設定されていた場合、応答部５３は、ファイル（エリア２１）が存在することをRequest Responseコマンドで応答する。
【００６２】
一方、フラグ管理部５２は、ステップＳ１２において、非接触ICチップ２内にファイルが存在しないと判定した場合、ステップＳ１４において、検索されたファイルが閲覧可能ではない（すなわち、閲覧許可フラグが閲覧不可に設定されている）と判定した場合、または、ステップＳ１５において、検索されたファイルに対して外部I/Fからのアクセスが可能ではない（すなわち、外部I/F指定フラグに外部I/F番号が設定されている）と判定した場合、ステップＳ１７に進む。
【００６３】
ステップＳ１７において、応答部５３は、外部I/Fに対し、ファイルが未登録である（存在しない）ことを示すRequest Responseコマンドで応答する。例えば、図４のサービス２４に付加されているプライバシ属性フラグが閲覧不可、かつ、外部I/Fアクセス不可に設定されていた場合、応答部５３は、実際には存在しているファイルを、存在していないようにRequest Responseコマンドで応答する。
【００６４】
以上のように、ファイルシステムに登録された情報を第３者に漏洩および公開したくない場合に、ファイルに付加されるプライバシ属性フラグにアクセス制限を設定することができるようにすることにより、アクセス制限が設定されたファイルに関する情報を隠蔽する機能を提供することが可能になる。この機能により、アクセス制限が設定されたファイルは、ファイルシステムに存在しているにもかかわらず、第３者からのアクセスに対して存在していないように機能することから、ユーザのプライバシを保護することが可能になる。
【００６５】
上述した一連の処理は、ハードウェアにより実行させることもできるが、ソフトウェアにより実行させることもできる。
【００６６】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【００６７】
この記録媒体は、装置本体とは別に、ユーザにプログラムを提供するために配布される、プログラムが記録されている磁気ディスク（フレキシブルディスクを含む）、光ディスク（CD-ROM(Compact Disk-Read Only Memory)，DVD(Digital Versatile Disk)を含む）、光磁気ディスク（MD（登録商標）(Mini-Disk)を含む）、もしくは半導体メモリなどよりなるリムーバブルメディアにより構成されるだけでなく、装置本体に予め組み込まれた状態でユーザに提供される、プログラムが記録されている図６のROM４２や、記憶部４６に含まれるハードディスクなどで構成される。
【００６８】
なお、本明細書において、各ステップは、記載された順序に従って時系列的に行われる処理はもちろん、必ずしも時系列的に処理されなくとも、並列的あるいは個別に実行される処理をも含むものである。
【符号の説明】
【００６９】
１  携帯電話機，２  非接触ICチップ，  ３  入力部，  ４  表示部，  ３１乃至３３  外部I/F，  ４１  CPU，  ５１  検索部，  ５２  フラグ管理部，  ５３  応答部
【図１】
2010244581.tif 000003
【図２】
2010244581.tif 000004
【図３】
2010244581.tif 000005
【図４】
2010244581.tif 000006
【図５】
2010244581.tif 000007
【図６】
2010244581.tif 000008
【図７】
2010244581.tif 000009
【図８】
2010244581.tif 000010
【図９】
2010244581.tif 000011